(57)【要約】【課題】  通気性の確保のための作業を簡単に行い得る浮力材を有するベストの提供。【解決手段】  前身ごろ４および後ろ身ごろ５を有するベスト本体２の後ろ身ごろ５の外皮１５に浮力材１８が内包され、浮力材１８には内外を貫通する通気路５０を有し、後ろ身ごろ５の外皮１５の一部が左右方向に開閉可能な左右の開閉外皮部２６，２７とされ、通気路５０は開閉外皮部２６，２７に対して内側に位置し、開閉外皮部２６，２７を閉じた状態から左右方向に開いた際に形成される開放領域Ｃによって通気路５０が開放され、開閉外皮部２６，２７の閉止状態および開放状態を保持する保持手段３０，３１が設けられている。【選択図】  図３
2006176925.tif 000002
【特許請求の範囲】
【請求項１】
前身ごろおよび後ろ身ごろを有するベスト本体の後ろ身ごろの外皮に浮力材が内包されたベストであって、
前記浮力材は内外を貫通する通気路を有し、前記後ろ身ごろの外皮の一部が左右方向に開閉可能な左右の開閉外皮部とされ、前記通気路は開閉外皮部に対面した内側に位置し、開閉外皮部の閉止状態および開放状態を保持する保持手段が設けられていることを特徴とする浮力材を有するベスト。
【請求項２】
開閉外皮部は開放状態においてその上部の開放量が下部の開放量よりも大きくなることにより上方に向かって広がった開放領域を形成するよう構成されていることを特徴とする請求項１記載の浮力材を有するベスト。
【請求項３】
浮力材が左右に分割された左右一対の浮力材からなり、該左右の浮力材の分割部分間が通気路とされていることを特徴とする請求項１記載の浮力材を有するベスト。
【請求項４】
後ろ身ごろの外皮の一部に横方向の切れ目を形成するとともに、該横方向の切れ目に連続する縦方向の切れ目を形成することで開閉外皮部がなり、該開閉外皮部を横方向の切れ目と縦方向の切れ目との境界部分から開放することで、後ろ身ごろの外皮に上部の開放量が下部の開放量よりも大きくなることにより上方に向かって広がった開放領域が形成されることを特徴とする請求項２記載の浮力材を有するベスト。
【請求項５】
開閉外皮部と浮力材との間にメッシュ生地が配設されていることを特徴とする請求項１乃至請求項４の何れかに記載の浮力材を有するベスト。
【請求項６】
開閉外皮部それぞれの左右方向外側の縁部が、メッシュ生地に縫着されていることを特徴とする請求５記載の浮力材を有するベスト。
【請求項７】
保持手段を、左右の開閉外皮部を別々に保持可能に設けることで、左右の開閉外皮部はこれらのうち何れか一方の開閉外皮部のみで開閉可能とされていることを特徴とする請求項１乃至請求項６の何れかに記載の浮力材を有するベスト。
【発明の詳細な説明】
【技術分野】
【０００１】
本発明は、浮力材を有し磯釣りなどに着用されるベストに関する。
【背景技術】
【０００２】
磯釣りは危険を伴う環境で行われることから、釣人が着用するベストには、その前身ごろや後ろ身ごろに浮力材を内包しているものがある。ところで、夏場での環境は気温が上昇する。一方で、浮力材は空気の流れを通さない材料で構成されそれ自体断熱性を有していることから、釣人にとっては浮力材の存在によってベストの着用を苦痛に感じることも少なくない。しかし、浮力材は救命のために欠かせない部品である。
【０００３】
そこで、外皮部分を上下方向に開閉自在に構成して、気温に応じてその外皮部分を開閉することで暑苦しさを解消させるということが行われている。あるいは浮力材に通気孔を形成したものがある（例えば、特許文献１参照）。
【特許文献１】特開２００２−５８４０５号公報
【発明の開示】
【発明が解決しようとする課題】
【０００４】
しかしながら、外皮部分を上下方向に開閉するようにした場合、外皮部分の上下方向の長さが長くなってしまう。そして従来、外皮部分を開いた後はそれを収納するために開いた外皮部分を小さく丸めて留め具で留めるという作業が行われていたが、このような作業は面倒である。
【０００５】
そこで、本発明は上記課題に鑑み、通気性の確保のための作業を簡単に行い得る浮力材を有するベストの提供を課題とする。
【課題を解決するための手段】
【０００６】
本発明は、前身ごろおよび後ろ身ごろを有するベスト本体の後ろ身ごろの外皮に浮力材が内包されたベストであって、前記浮力材には内外を貫通する通気路を有し、前記後ろ身ごろの外皮の一部が左右方向に開閉可能な左右の開閉外皮部とされ、前記通気路は開閉外皮部に対して内側に位置し、前記開閉外皮部を閉じた状態から左右方向に開いた際に形成される開放領域によって通気路が開放され、開閉外皮部の閉止状態および開放状態を保持する保持手段が設けられていることを特徴としている。
【０００７】
上記構成において、保持手段でもって開閉外皮部の閉止姿勢を保持した状態とする。そして、保持手段による閉止姿勢の保持を解除して開放姿勢とするときは、開閉外皮部を左右に開放し、保持手段でその開放姿勢を保持する。浮力材には対面した開閉外皮部の内側に連通路が位置しているため、開閉外皮部を開放することで、空気が浮力材の連通路を通って外部に流出し、また外部の空気が連通路を通って流入する。このように、開閉外皮部を左右に開放するか閉止するかを、温度や湿度などの環境に応じて選択するようにすることで、浮力材を有するベストであったとしても、そのベストの使用者はベストを快適に装着することが可能となる。
【０００８】
本発明では、開閉外皮部を左右方向に開くようにしているから、外皮を縦方向に開いて開放する場合と同じ量だけ通気路を開放するためには、通気路開放のための開閉外皮部の開き量が少なくてすむ。開き量が少なくてすむことによれば、その分だけ開閉外皮部の取り扱いが楽になり、開閉外皮部を開放した後にそれを収納するための作業も容易となる。すなわち通気性の確保のための作業が簡単になる。
【０００９】
また、開閉外皮部は開放状態においてその上部の開放量が下部の開放量よりも大きくなることにより上方に向かって広がった開放領域を形成するよう構成されていることが好ましい。
【００１０】
本発明では、前述のように通気路を開放するために開閉外皮部を左右方向に開くようにする。通気路を開放する開放領域を現出させるために開閉外皮部をその上下方向で同じ量だけ開くことが考えられる。そうすると、開閉外皮部を開いて開放姿勢を保持するための保持手段として開閉外皮部の上下部を保持する部分を設ける必要がある。一方、上記のように上部の開放量が下部の開放量よりも大きく上方に向かって広がった開放領域を開放するようにした開閉外皮部では、その上部を開くことで開放領域が開放されるようになるから開閉外皮部の上部を保持する保持手段を設ければよい。したがって、開閉外皮部を開放姿勢とするのに手間がかからなく、保持手段の構成も簡単になる。
【００１１】
また、浮力材が左右に分割された左右一対の浮力材からなり、該左右の浮力材の分割部分間が通気路とされることが好ましい。
【００１２】
上記構成によれば、浮力材が左右の浮力材に分割されていることで、ベストの使用者の動きに対応し易くなるとともに、浮力材を左右に分割するだけでその分割部分を通気路として用いることが可能となるから、一枚の浮力材に特別に通気路を設けるといった手間がなくなるうえに、大きな連通路を容易に形成できる。
【００１３】
本発明は、後ろ身ごろの外皮の一部に横方向の切れ目を形成するとともに、該横方向の切れ目に連続する縦方向の切れ目を形成することで開閉外皮部がなり、該開閉外皮部を横方向の切れ目と縦方向の切れ目との境界部分から開放することで、後ろ身ごろの外皮に上部の開放量が下部の開放量よりも大きくなることにより上方に向かって広がった開放領域が形成されることを特徴としている。
【００１４】
上記構成によれば、横方向の切れ目と縦方向の切れ目の境界部で開閉外皮部を手指で把持して開けば、開閉外皮部を容易に開放姿勢とすることができる。同様に、横方向の切れ目と縦方向の切れ目の境界部で開閉外皮部を手指で把持して、開閉外皮部を閉止姿勢とすることができる。
【００１５】
また、開閉外皮部と浮力材との間にメッシュ生地が配設されていることが好ましい。
【００１６】
このようにすることで、開閉外皮部を開放姿勢とした際であっても、浮力材が露出することなくメッシュ生地によって保護されつつ、通気性が邪魔されることもない。
【００１７】
更に、開閉外皮部それぞれの左右方向外側の縁部が、メッシュ生地に縫着されていることが好ましい。
【００１８】
この構成のように開閉外皮部がメッシュ生地に固定されていることによれば、開閉外皮部を開放姿勢としたときでも開閉外皮部をベスト本体に対して安定させた状態で開放姿勢に保持することができる。
【００１９】
また、保持手段を左右の開閉外皮部を別々に保持可能に設けることで、左右の開閉外皮部はこれらのうち何れか一方の開閉外皮部のみで開閉可能とされることが好ましい。
【００２０】
この構成によれば、左の開閉外皮部または右の開閉外皮部を選択的に開放すること、および左右両方の開閉外皮部を開放することの双方を選択することができる。すなわち、環境に応じて一方の開閉外皮部を開放姿勢とし他方の開閉外皮部を閉止姿勢として使用すること、左右両方の開閉外皮部を開放姿勢として使用することの何れも可能である。一方の開閉外皮部を閉止姿勢とし他方の開閉外皮部を開放姿勢としたときは、左右両方の開閉外皮部を開放姿勢とした場合に比べて通気量を抑えることが可能になり、環境に応じたベスト本体内の温度の調節が可能となる。
【発明の効果】
【００２１】
本発明によれば、開閉外皮部を左右に開くといった動作で浮力材に設けた通気路を容易に開放して通気性を確保することが可能となる。そして、開閉外皮部を左右に開くことで通気路を開放するので開閉外皮部の開き量が少なくてすむからその分だけ開閉外皮部の取り扱いが楽になる。開閉外皮部を開放した後にそれを収納するための作業も容易となり、通気性の確保のための作業が簡単になる。
【発明を実施するための最良の形態】
【００２２】
以下、本発明の実施形態に係る浮力材を有するベストとして魚釣り用フローティングベスト（以下単に「ベスト」という）を例に図面に基づいて説明する。図１は本発明の実施形態を示すベストの前側からの全体概略斜視図、図２はベストの後ろ側からの全体概略斜視図、図３は開閉外皮部を開放姿勢とした背面図、図４および図５は保持手段部分の拡大斜視図、図６は後ろ身ごろ側を主として描いた平面断面図、図７は図６における要部の拡大断面図である。なお図４および図５では一方の保持手段（背面視して左側）と他方の保持手段の構成を兼用した図としている。
【００２３】
図１に示すように、ベスト１は、ベスト本体２と、固形式の前浮力材１６，１７と、固形式の後ろ浮力材１８とを有する。ベスト本体２は左右の前身ごろ３，４、左右の前身ごろ３，４と後ろ身ごろ５をそれぞれ縫着により一体にする左右の側部７，８、および左右の前身ごろ３，４と後ろ身ごろ５とをそれぞれ一体にする肩部１０，１１を有する。前身ごろ３，４、側部７，８、および後ろ身ごろ５の左右両側縁の開放部分が釣人が腕を通す脇部１Ａとされている。なお、図示しないが左右の前身ごろ３，４には、ベスト１の着用時にはこれらを互いにフリーにし、着用後は一体化するバックルなどの取付け具が取付けられている。
【００２４】
また、前身ごろ３，４の外皮１５は、例えばナイロン織物やポリエステル織物等から形成され、通気性は低い。図６に示すように、後ろ身ごろ５の外皮１５は、上記と同様の材料から形成される左右の外皮部１５Ｂ、前側すなわち釣人Ｈの背側でこれを覆うメッシュ生地１５Ａおよび後ろ側のメッシュ生地２０を有し、外皮部１５Ｂとメッシュ生地１５Ａ，２０は縫着によって袋状に一体化されている。尚、前側のメッシュ生地１５Ａは、ベスト１の装着時に少なくとも釣人Ｈの背に相当する領域を覆う領域面積を有する。
【００２５】
左右の側部７，８は複数方向（縦横方向）に伸縮可能なメッシュ生地からなる。左右の前身ごろ３，４の丈方向下端から肩部１０，１１、および後ろ身ごろ５の丈方向下端に亙って引張力に対して所定の抵抗力を有する生地で構成された帯状体１２，１３がベスト本体２の外皮１５の左右寄りに縫着されている。この帯状体１２，１３によって左右の前身ごろ３，４、肩部１０，１１および後ろ身ごろ５が確実に一体化されている。
【００２６】
換言すれば、このように帯状体１２，１３を左右の前身ごろ３，４、肩部１０，１１および後ろ身ごろ５に亙って縫着させることで帯状体１２，１３の縫い付け強度を確保している。これは釣人が海上に投げ出されたときなどの緊急時に、例えばベスト１の肩部１０，１１を把持して引き上げられることが多いが、その際に帯状体１２，１３の縫い付け強度が大きければ、ベスト１の外皮１５と帯状体１２，１３とを確実に一体化させて、釣人Ｈの体を確実に引き上げることができるようにするためである。
【００２７】
左右の前身ごろ３，４の外皮１５に左右一対の前記前浮力材１６，１７が、前身ごろ３，４の内部でそれぞれある程度の余裕をもって別々に内包されている。後ろ身ごろ５の外皮１５に前記後ろ浮力材１８がある程度の余裕をもって内包されている。この後ろ浮力材１８は左右の後ろ浮力材１９Ａ，１９Ｂからなって、両者を併せて後ろ身ごろ５と相似した背面形状に形成されるとともに、浮力材１９Ａ，１９Ｂそれぞれは前後方向に所定の厚みｔを有する。この所定の厚みｔは後ろ浮力材１８の面積と相まって定められた浮力を得るのに必要な厚みである。具体的には、この後ろ浮力材１８は、左右方向中央位置で縦方向に分割されて、同一形状を有する前記左右の後ろ浮力材１９Ａ，１９Ｂからなっている。前浮力材１６，１７、後ろ浮力材１９Ａ，１９Ｂはともにエチレンー酢酸塩化ビニル、ポリ塩化ビニル、ポリエチレン等を用いた発泡体から形成されてそれ自体浮力を有し、また可撓性、断熱性を有して板状に形成されている。
【００２８】
図２に示すように、後ろ浮力材１９Ａ，１９Ｂそれぞれの分割した隣合う面は縦長の長方形である分割矩形面１９ａ，１９ｂとなっており、その前後方向幅は前記厚みｔに等しい。
【００２９】
前述のように後ろ浮力材１８は後ろ身ごろ５の外皮１５に余裕をもって内包されているから、後ろ浮力材１９Ａ，１９Ｂが左右に移動（変位）することで分割矩形面１９ａ，１９ｂは左右方向にある程度だけ接近離間することができる。分割矩形面１９ａ，１９ｂが完全に当接せず左右に離間した状態では、分割矩形面１９ａ，１９ｂ間に隙間ができ、これによって通気路５０が形成される。このように通気路５０を縦長に設けるのは、釣人Ｈは胴体幅よりも丈が長く、脊椎に沿うかのように縦長形状の通気路５０とすることが、必要な通気性を得るために有利だからである。
【００３０】
図２に示すように、後ろ身ごろ５の外皮１５の丈方向中心よりも上部に横方向のスリット５１が形成されている。この横方向のスリット５１の丈方向位置は、後ろ浮力材１９Ａ，１９Ｂの上面１９ｄ，１９ｅ位置にほぼ等しい位置に設定されている。この横方向のスリット５１は、帯状体１２，１３間の左右幅に等しい長さを有する。さらに、後ろ身ごろ５の外皮１５に、左右の後ろ浮力材１９Ａ，１９Ｂの分割矩形面１９ａ，１９ｂの外側（後ろ側）に配置される縦方向のスリット５２が形成されている。この縦方向のスリット５２は、後ろ身ごろ５の左右方向中心（横方向のスリット５１の左右方向中心）位置で横方向のスリット５１に連続し、且つ外皮１５のほぼ最下部まで形成されている。すなわち後ろ身ごろ５の外皮１５は、上部に配置した略矩形の固定外皮部２５と、横方向のスリット５１および縦方向のスリット５２を設けることで左右方向に開閉可能な左右の開閉外皮部２６，２７とを有する。このように縦方向のスリット５２が、後ろ身ごろ５の左右方向中心に配置されることで、後ろ浮力材１９Ａ，１９Ｂの分割矩形面１９ａ，１９ｂと前後方向でほぼ一致した位置に配置されている。
【００３１】
このような構成により、左右の開閉外皮部２６，２７は左右方向に開放可能となり、開放した状態では図３に示すように、外皮１５に、上部の開放量が下部の開放量よりも大きくなることにより上方に向かって広がる開放領域Ｃが形成されることになる。
【００３２】
具体的には、左右の開閉外皮部２６，２７をそれぞれ左方向、右方向に開放することで二等辺の逆三角形状の開放領域Ｃが後ろ身ごろ５に現出する。この開放領域Ｃの左右方向中心は、分割矩形面１９ａ，１９ｂと前後方向でほぼ一致した位置にあって、開放領域Ｃは通気路５０を含む領域にある。尚、開放領域Ｃが二等辺の逆三角形状であるから、左右の開閉外皮部２６，２７は当該逆三角形状を半割にした三角形状となっている。
【００３３】
この開放領域Ｃに、前記メッシュ生地２０が配設されている。このメッシュ生地２０は前記開放領域Ｃに一致する形状である二等辺の逆三角形状に形成されている。メッシュ生地２０の上辺縁部２０ａと固定外皮部２５の下辺縁部（横方向のスリット５１の縁部分）２５ａとが互いに縫着されている。また、メッシュ生地２０の左右辺縁部２０ｂ，２０ｃと、開閉外皮部２６，２７それぞれの左右辺縁部（左右方向外側の縁部分）２６ａ，２７ａとがそれぞれ互いに縫着されている。メッシュ生地２０の左右辺縁部２０ｂ，２０ｃと、開閉外皮部２６，２７それぞれの左右辺縁部２６ａ，２７ａとの縫着部分は背面視してＶ字形状となっている。このような構成により、メッシュ生地２０を覆うように開閉外皮部２６，２７を閉じた状態では、通気路５０を含む領域の後ろ側で後ろ浮力材１８と外皮１５（左右の開閉外皮部２６，２７を閉じた状態）との間にメッシュ生地２０が介装されることになる。
【００３４】
メッシュ生地２０が隠れるように開閉外皮部２６，２７を閉じた状態である閉止姿勢Ａ（図２参照）を保持する閉止留め具３０と、メッシュ生地２０が露出するよう左右の開閉外皮部２６，２７をそれぞれ開いた状態である開放姿勢Ｂ（図３参照）を保持する開放留め具３１とからなる保持手段が設けられている。この保持手段は、後ろ身ごろ５に設けられている。以下に説明するように、閉止留め具３０および開放留め具３１として、凹凸部どうしの弾性で着脱自在に嵌合する構成のホックが用いられている。
【００３５】
閉止留め具３０は、図２に示すように、開閉外皮部２６，２７を閉じた状態でそれぞれの上部中心寄りに固着された左右一対の嵌合部材３４，３５と、図３に示すようにメッシュ生地２０の上部中心寄りに固着された左右一対の被嵌合部材３２，３３とからなる。被嵌合部材３２，３３は、閉止凸部３６ａ，３６ｂがメッシュ生地２０の表面（外側）に突出するようメッシュ生地２０の裏面から固着されている。嵌合部材３４，３５は、閉止凹部３７ａ，３７ｂが閉止凸部３６ａ，３６ｂに着脱自在に嵌合するよう開閉外皮部２６，２７にそれぞれ固着されている。
【００３６】
開放留め具３１は、図３に示すように、後ろ身ごろ５の外皮１５の丈方向途中（この場合メッシュ生地２０の上端部より下方に相当する位置）に左右一対で設けられた柔軟性を有する開放保持片４０，４１と、開放保持片４０，４１それぞれの先端部に固着された被嵌合部材３８，３９と、図２で示した前記嵌合部材３４，３５とから構成されている。すなわち、嵌合部材３４，３５は閉止留め具３０と開放留め具３１に兼用される部材である。このように、嵌合部材３４，３５は閉止留め具３０および開放留め具３１を兼用していることにより、保持手段として部品点数をできるだけ少なくしている。尚、被嵌合部材３８，３９は開放凸部４３ａ，４３ｂが裏面に突出するよう開放保持片４０，４１の表面に固着されている。
【００３７】
開放保持片４０，４１は、開閉外皮部２６，２７を開放姿勢Ｂとして保持する際に脇部１Ａに対して斜め下方向きになるよう後ろ身ごろ５に縫着されている。これは、前述したように、開閉外皮部２６，２７は三角形をしておりこれを左右に開いて開放姿勢Ｂとした際にその隅部は閉止姿勢Ａの場合に比べて下方に位置することになるから、開閉外皮部２６，２７の隅部を留めるためである。
【００３８】
図５の符号４５は、閉止姿勢Ａにおいては不要な開放保持片４０，４１を後ろ身ごろ５に固定するための嵌合凹部４６を有する嵌合部材を示す。なお、閉止留め具３０および開放留め具３１からなる保持手段として、ホックの代わりに面ファスナを用い、面ファスナの係脱によって開閉外皮部１５を閉止姿勢Ａまたは開放姿勢Ｂに切替え、保持することも可能である。
【００３９】
上記構成を有するベスト１は、釣場環境の温度や湿度に応じて開閉外皮部２６，２７を開閉することで通気を発生させたり通気を発生しにくくしたりするようにして用いる。
【００４０】
例えば釣人がベスト１を着用した状態で、釣場環境を寒く感じるとき、その釣人はスリット５２によって形成される開閉外皮部２６，２７の中心側縁部５２ａ，５２ｂを左右で接触させるようにしてそれぞれ閉止姿勢Ａとする。開閉外皮部２６，２７をそれぞれ閉止姿勢Ａとするときは、閉止留め具３０の被嵌合部材３２，３３の閉止凸部３６ａ，３６ｂに、開閉外皮部２６，２７に取付けた嵌合部材３４，３５の閉止凹部３７ａ，３７ｂ（図２，図５参照）を弾性的に嵌合させる。これにより、メッシュ生地２０を覆うように開閉外皮部２６，２７の閉止姿勢Ａが保持され、横方向のスリット５１および縦方向のスリット５２が大きく開いてしまう状態が回避される。
【００４１】
ところで、開閉外皮部２６，２７を閉止姿勢Ａとしても浮力材１９Ａ，１９Ｂは分割されて左右にある程度の余裕でもって移動できることから、分割矩形面１９ａ，１９ｂどうしが左右に離れることで通気路５０が形成される。しかし、開閉外皮部２６，２７は閉止留め具３０によって閉止姿勢Ａを保持されていることで、ベスト１に通気路５０が存在したとしてもこれが全く開放された状態に比して通気路５０を通過する空気の量は抑えられるから、その分だけ釣人が寒さを感じる状態を回避することができる。
【００４２】
例えば釣人がベスト１を着用した状態で、釣場環境を暑く感じるとき、その釣人は開閉外皮部２６，２７を開放姿勢Ｂとする。開閉外皮部２６，２７を閉止姿勢Ａから開放姿勢Ｂとするとき、釣人は閉止留め具３０によって閉止姿勢Ａとしていた状態、すなわち被嵌合部材３２，３３の閉止凸部３６ａ，３６ｂに嵌合部材３４，３５の閉止凹部３７ａ，３７ｂが嵌合した状態からこれらを互いに外す。そうすると、開閉外皮部２６，２７がメッシュ生地２０に対してフリーとすることができる。続いて、例えば開閉外皮部２６，２７の中心寄り（後ろ身ごろ５の中心側）の隅部を手指で把持してそれぞれ左右方向へ広げる。この場合、開閉外皮部２６，２７は、メッシュ生地２０との縫着部分（左右辺縁部２０ｂ，２０ｃ、左右辺縁部２６ａ，２７ａ）を中心にＶ字形状に広げられる。
【００４３】
またこのとき、嵌合部材４５の嵌合凹部４６から被嵌合部材３８，３９の開放凸部４３ａ，４３ｂを外して開放保持片４０，４１をフリーにしておく。そして開閉外皮部２６，２７を左右に開いた状態で嵌合部材３４，３５の閉止凹部３７ａ，３７ｂに開放保持片４０，４１を重ねて閉止凹部３７ａ，３７ｂに被嵌合部材３８，３９の開放凸部４３ａ，４３ｂを弾性的に嵌合させることで、開閉外皮部２６，２７がほぼそのままの形状で外皮１５に重ねられるようになって開放姿勢Ｂが保持される。
【００４４】
なお、実際には開閉外皮部２６，２７はそれ自体弾性を有しているので、開閉外皮部２６，２７の中心寄りの隅部を手指で把持して左右方向へ広げて開閉外皮部２６，２７を開放姿勢Ｂとしても、メッシュ生地２０との縫着部分がすべて露出するような姿勢とはなりにくい。このことを、図２および図３では開閉外皮部２６，２７とメッシュ生地２０との縫着部分として破線、すなわち左右辺縁部２０ｂ，２０ｃ、左右辺縁部２６ａ，２７ａで表している。しかし、開閉外皮部２６，２７の中心寄りの隅部を手指で把持して左右方向へ広げて開閉外皮部２６，２７を開放姿勢Ｂとすれば、連通路５０の高さ方向ほとんど全ての領域を露出させることができる。
【００４５】
このようにすることで、開閉外皮部２６，２７の開放姿勢Ｂが保持され、通気路５０が開放されて外気とよく連通できる状態が保持され、通気路５０に通気が発生し易くなって釣人の体感温度が低下する。また、浮力材１８は後ろ身ごろ５に余裕をもって内方されているから、通気路としては分割矩形面１９ａ，１９ｂ間の隙間だけではなく、後ろ身ごろ５と浮力材１８との間に生じる隙間も通気路となり得る。したがって、開閉外皮部２６，２７を開放姿勢Ｂとすることで開放領域Ｃが形成されると、ベスト１内にこもり勝ちな空気が開放領域Ｃを介して外部の空気と遣り取りされ易い状態ができ、ベスト１内にこもった空気と外部の空気とが遣り取りされると釣人の体感温度が下がるから、釣人は浮力材１８を有したベスト１であってもこれを快適に装着することができる。
【００４６】
そして、開閉外皮部２６，２７は単に左右方向に開閉するようにして開放留め具３１で開閉外皮部２６，２７がそのままの形状で外皮１５に重なるように保持されるから、開閉外皮部２６，２７を開放姿勢Ｂとしても、その収納のためのスペースを特に設ける必要がなく、開放姿勢Ｂでの開閉外皮部２６，２７が嵩張ることもない。また開閉外皮部２６，２７は単に左右方向に開閉するようにして開放留め具３１で保持するものであるから、開放量が少なくそのための作業が楽であり、開閉外皮部２６，２７を開放姿勢Ｂとすることに手間取らない。
【００４７】
開閉外皮部２６，２７を開放することで形成される開放領域は三角形状としていることから通気路５０全域を開放するために外皮を縦方向に開く場合に比べて外皮の開閉量を少なくしつつ通気路５０全域を開放することができ、通気性を確保することが可能となる。
【００４８】
特に、温度の高い空気は上昇するものであって、開放領域Ｃを逆三角形状として上部の開放量が下部の開放量よりも大きくなることにより上方に向かって広がった形状になっているから、高温の空気が開放領域Ｃの上部から多く開放されて外気と遣り取りされるので、開閉外皮部２６，２７を開放姿勢Ｂとすることに手間取らない上に、釣人の体感温度を効果的に下げることができる。
【００４９】
上記実施形態の説明では、開閉外皮部２６，２７の双方を開放姿勢Ｂとする場合を示したが、保持手段で左右の開閉外皮部２６，２７を別々に保持可能に設けているので、左右の開閉外皮部２６，２７はこれらのうち何れか一方の開閉外皮部２６，２７のみを開放姿勢Ｂとすることも可能である。開閉外皮部２６，２７のうちの一方を開放姿勢Ｂとすれば、開放領域Ｃは半分の面積となる。しかしこの場合も通気路５０は開放されるので、外気とよく連通できる状態をつくって通気路５０に通気が発生し易くしたうえで、ベスト１内にこもり勝ちな空気を開放領域Ｃを介して外部の空気と遣り取りさせ易い状態をつくることができる。そして、開閉外皮部２６，２７の双方を開放姿勢Ｂとするか、開閉外皮部２６，２７のうちの一方を開放姿勢Ｂとするかは、釣人が釣場の環境に応じて行えばよいから、環境に応じた温度調節が可能になる。
【００５０】
上記実施形態では通気路５０は、浮力材１９Ａ，１９Ｂの分割矩形面１９ａ，１９ｂ間の隙間として構成したがこれに限定されない。例えば、必要な浮力を確保した上で、浮力材１８を分割することなく幅方向中心付近に内外に貫通する円形の通気路を縦方向に並べて複数形成する構成であってもよい。あるいは通気路として内外に貫通する縦長の切欠孔を形成するようにしてもよい。何れの場合も開閉外皮部２６，２７を左右に開くように構成することで、上記実施形態と同様の作用効果を奏し得る。
【００５１】
また、開放領域Ｃは開閉外皮部２６，２７の面積に応じて変更可能である。開閉外皮部２６，２７の面積は、横方向のスリット５１、縦方向のスリット５２の長さによって決まるものである。一例として上記実施形態では、横方向のスリット５１は帯状体１２，１３間の左右幅に等しい長さを有し、縦方向のスリット５２は横方向のスリット５１から外皮１５のほぼ最下部まで形成しているが、必要に応じて縦方向のスリット５２、横方向のスリット５１の長さを変更することで開放領域Ｃの面積を変更することは可能である。
【００５２】
上記実施形態では、縦方向のスリット５２は、横方向のスリット５１の左右方向のほぼ中心に配置して、分割矩形面１９ａ，１９ｂ（あるいは通気路）と前後方向でほぼ一致するよう配置したがこれに限定されない。すなわち、開閉外皮部２６，２７を開放姿勢Ｂとした際に、分割矩形面１９ａ，１９ｂが充分に開放されるのであれば、縦方向のスリット５２と分割矩形面１９ａ，１９ｂとを相対的に左右方向に位置ずれさせることも可能である。このように構成する場合でも、上記実施形態と同様の作用効果を奏し得る。
【００５３】
尚、開閉外皮部は閉止姿勢においてその縁部どうしが同一平面に位置するように構成してもよいし、前後に重なるよう構成することも可能である。特に前後に重なるよう構成すると重なり部分で空気の流れが遮断されやすくなるから、ベスト内外間の空気の流れの発生が困難になる。このため、開閉外皮部を左右に開くことの上記優位性に加えて、特に外気温度が低い場合には保温性に優れる。
【図面の簡単な説明】
【００５４】
【図１】本発明の実施形態を示すベストの前側からの全体概略斜視図。
【図２】同じくベストの後ろ側からの全体概略斜視図。
【図３】同じく開閉外皮部を開放姿勢とした背面図。
【図４】同じく保持手段部分の拡大斜視図。
【図５】同じく保持手段部分の拡大斜視図。
【図６】同じく後ろ身ごろ側を中心にした平面断面図および要部の拡大図。
【図７】同じく開放保持片を中心とした一部拡大断面図。
【符号の説明】
【００５５】
１…ベスト、２…ベスト本体、３，４…前身ごろ、５…後ろ身ごろ、１５…外皮、１８…後ろ浮力材、１９ａ，１９ｂ…分割矩形面、１９Ａ，１９Ｂ…後ろ浮力材、２６，２７…開閉外皮部、３０…閉止留め具（保持手段）、３１…開放留め具（保持手段）、５０…通気路、５１…横方向のスリット、５２…縦方向のスリット、Ａ…閉止姿勢、Ｂ…開放姿勢、Ｃ…開放領域
【図１】
2006176925.tif 000003
【図２】
2006176925.tif 000004
【図３】
2006176925.tif 000005
【図４】
2006176925.tif 000006
【図５】
2006176925.tif 000007
【図６】
2006176925.tif 000008
【図７】
2006176925.tif 000009